(57)【要約】【課題】  本体ユニットの上部に設けるカバー部材を体裁良く筐体に取付けることのできる電子機器を提供する。【解決手段】  電子機器の一例であるポータブルコンピュータは、上面に部品載置部が形成された筐体１０を有する本体ユニット２と、部品載置部を覆うように本体ユニット２の上面に配置されるカバー部材６０とを有している。カバー部材６０は、スライド式の第１のカバー６１と、嵌込み式の第２のカバー６２とを具備している。第１のカバー６１は、部品載置部の第１の領域に載置され、筐体１０の幅方向にスライドさせることによって筐体１０に固定される係止部を有している。第２のカバー６２は、第１のカバー６１によって覆われない部品載置部の第２の領域に、上方から嵌込まれた状態で筐体１０に固定される。【選択図】      図１
2006100671.tif 000002
【特許請求の範囲】
【請求項１】
部品載置部を有する筐体と、
前記部品載置部を覆うカバー部材と、
を有する電子機器であって、
前記カバー部材は、
前記部品載置部の第１の領域に載置されてスライドさせることにより前記筐体に係止する係止部を備えた第１のカバーと、
前記部品載置部のうち前記第１のカバーによって覆われない第２の領域の上方から嵌込まれた状態において前記筐体に取付けられる第２のカバーと、
を具備したことを特徴とする電子機器。
【請求項２】
請求項１に記載された電子機器であって、
前記筐体の上面にキーボードが配置され、
前記カバー部材は、該キーボードの取付部を覆う部分を有していることを特徴とする電子機器。
【請求項３】
請求項１に記載された電子機器であって、
前記第２のカバーは、該第２のカバーを前記部品載置部の第２の領域に嵌込んだ状態において前記筐体の受け部に引っ掛かる係止部を備えていることを特徴とする電子機器。
【請求項４】
請求項１に記載された電子機器であって、
前記第２のカバーが第１のカバーよりも小さいことを特徴とする電子機器。
【請求項５】
請求項４に記載された電子機器であって、
前記筐体にバッテリー収納部が設けられ、
前記カバー部材が前記バッテリー収納部を覆う位置に設けられていることを特徴とする電子機器。
【請求項６】
請求項４に記載された電子機器であって、
前記筐体にスピーカが配置され、
前記カバー部材は前記スピーカを覆う放音部を有することを特徴とする電子機器。
【請求項７】
請求項６に記載された電子機器であって、
前記第１のカバーには、この第１のカバーの一部で前記第２のカバーと左右対称の位置に、前記第２のカバーと対応する形状の放音部が形成されていることを特徴とする電子機器。
【請求項８】
請求項７に記載された電子機器であって、
前記スピーカは一対設けられ、前記第１のカバー及び第２のカバーは、前記一対のスピーカに対応して放音部を有していることを特徴とする電子機器。
【請求項９】
キーボード載置部と部品載置部とを有する筐体と、
前記キーボード載置部に載置されるキーボードと、
前記部品載置部の第１の領域に載置されてスライドさせることにより前記筐体に係止される第１のカバーと、
前記部品載置部のうち前記第１のカバーによって覆われない第２の領域の上方から嵌込まれた状態において前記筐体に取付けられる第２のカバーと、
を具備したことを特徴とする電子機器。
【請求項１０】
請求項９に記載された電子機器であって、
前記キーボードは、その縁部に前記部品載置部の第１の領域および第２の領域に固定される取付部を有し、
前記第１のカバーおよび前記第２のカバーがそれぞれ、前記キーボードの前記取付部を覆うことを特徴とする電子機器。
【請求項１１】
請求項９に記載された電子機器であって、
前記筐体は下ケースと上ケースとを有しており、前記キーボード載置部および前記部品載置部は前記上ケースに設けられることを特徴とする電子機器。
【請求項１２】
請求項１１に記載の電子機器であって、
前記部品載置部には一対のスピーカが取り付けられ、前記第１のカバーおよび第２のカバーは前記一対のスピーカに対応する放音部を有していることを特徴とする電子機器。
【請求項１３】
請求項１０に記載の電子機器であって、
前記キーボードの取付部は、ねじによって前記第１の領域と第２の領域とに固定されることを特徴とする電子機器。
【発明の詳細な説明】
【技術分野】
【０００１】
本発明は、本体ユニットの上面にカバー部材を有するポータブルコンピュータ等の電子機器に関する。
【背景技術】
【０００２】
ポータブルコンピュータ等の電子機器の本体ユニットは、回路基板等を収納する筐体を有し、この筐体の上部にキーボードが配置されている。また本体ユニットの種類によっては、筐体の上面に形成される部品載置部を覆うためのカバー部材を筐体の上部に設けることがある。（例えば下記特許文献１参照）
筐体の部品載置部を覆うためのカバー部材を筐体に対して着脱可能とするために、水平スライド式のカバー部材が採用されることがある。水平スライド式のカバー部材は、カバー部材の裏面に係止部を有し、筐体にはこの係止部と対応した位置に受け入れ部が形成されている。
【０００３】
このような水平スライド式のカバー部材を筐体に取付けるには、筐体の上方からカバー部材を部品載置部に載置し、カバー部材を水平方向（筐体の幅方向）にスライドさせる。こうすることにより、カバー部材の前記係止部が筐体の受け入れ部に係合することにより、カバー部材が筐体に固定される。
【特許文献１】米国特許第６，６６１，６５０号
【発明の開示】
【発明が解決しようとする課題】
【０００４】
従来のスライド式カバー部材のように、カバー部材を筐体の部品載置部でスライドさせる構造のものでは、カバー部材のスライドストロークを確保するために、例えばカバー部材の長さを部品載置部の長さよりも小さくする必要がある。しかしこのようにすると、カバー部材の端部と筐体との間に隙間が生じてしまう。
【０００５】
このような隙間が生じないようにするために、前記部品載置部の一端を筐体の一方の側面に開放させ、カバー部材を取付ける際に、カバー部材の端部がこの部品載置部から筐体の側面に突出できるようにし、カバー部材を取付位置までスライドさせたときに、カバー部材の端面が筐体の側面と一致するようなスライド構造が考えられる。
【０００６】
しかしこのようなスライド構造では、筐体の一方の側面（筐体の片側）に前記部品載置部の一端が開放された形状となるため、筐体の側面とカバー部材の端面との合わせ目が筐体の片側に露見し、見栄えが良いとは言えない。このためデザイン上の制約が大であるなどの問題がある。
【０００７】
したがって本発明は、筐体の上部にカバー部材を有する電子機器において、カバー部材を体裁よく筐体に取付けることができる電子機器を得るものである。
【課題を解決するための手段】
【０００８】
本発明の一つの形態に係る電子機器は、部品載置部を有する筐体と、部品載置部を覆うカバー部材と、を有する電子機器であって、カバー部材は、部品載置部の第１の領域に載置されてスライドさせることにより筐体に係止する係止部を備えた第１のカバーと、部品載置部のうち第１のカバーによって覆われない第２の領域の上方から嵌込まれた状態において筐体に取付けられる第２のカバーと、を具備したことを特徴とする。
【０００９】
本発明の他の形態に係る電子機器は、キーボード載置部と部品載置部とを有する筐体と、前記キーボード載置部に載置されるキーボードと、前記部品載置部の第１の領域に載置されてスライドさせることにより前記筐体に係止される第１のカバーと、前記部品載置部のうち前記第１のカバーによって覆われない第２の領域の上方から嵌込まれた状態において前記筐体に取付けられる第２のカバーと、を具備したことを特徴とする。
【発明の効果】
【００１０】
本発明によれば、本体ユニットの筐体の側面にカバー部材との合わせ目が形成されることがなくなり、カバー部材を本体ユニットの上面に体裁良く配置することができる。
【発明を実施するための最良の形態】
【００１１】
以下に本発明の実施の形態を、ポータブルコンピュータに適用した図面に基づいて説明する。  
図１は、電子機器の一例としてのポータブルコンピュータ１を示している。このポータブルコンピュータ１は、本体ユニット２と、表示ユニット３を備えている。
【００１２】
本体ユニット２は、偏平な箱状の筐体１０を有している。図１と図４に示されるように筐体１０は、筐体１０の略下半部を構成する下ケース１１と、筐体１０の略上半部を構成する上ケース１２などによって構成されている。筐体１０の内部に、このポータブルコンピュータ１の制御等をつかさどる電子部品等が実装されたシステム基板等の回路基板１３（図２に示す）が収容されている。
【００１３】
本体ユニット２の前部に、上ケース１２の一部によって構成されるパームレスト部２０と、タッチパッド等の入力装置２１が設けられている。本体ユニット２の後部には、電源としてのバッテリー２２（図６に示す）を収納するバッテリー収納部２３が設けられている。
【００１４】
図２に示すように上ケース１２には、キーボード載置部４９と、スピーカ等が載置される部品載置部５０が設けられている。部品載置部５０にはスピーカ２４，２５等の電子部品を収納する空間部２６，２７（図２に示す）が形成されている。
【００１５】
本体ユニット２の上面に設けられたキーボード載置部４９にはキーボード３０が取付けられている。図２に示されるように、上ケース１２のキーボード載置部４９の前部の複数箇所に孔３１が形成されている。これらの孔３１にキーボード３０の前端に形成された凸部３２（図１に示す）を挿入することにより、キーボード３０の前端が筐体１０に固定される。
【００１６】
キーボード３０の後端に、左右一対の取付部４０（図４に一方のみ示す）が形成されている。上ケース１２には、これら取付部４０と対応した位置に、キーボード支持部４１が形成されている。キーボード３０の後端は、ねじ部材等の固定部材４２（図４と図５に一方のみ示す）によって、キーボード支持部４１に固定される。
【００１７】
キーボード３０を筐体１０に取付けた状態において、本体ユニット２の後部の上面側に本発明で言う部品載置部５０が設けられている。図２に示されるように、部品載置部５０の長さＬ１は、筐体１０の幅Ｌ２よりも小さい。部品載置部５０の左右両端に、筐体１０の一部である壁部５１，５２が形成されている。
【００１８】
本体ユニット２の後部上面に、部品載置部５０を覆うカバー部材６０が配置される。図３に示すようにカバー部材６０は、第１のカバー６１と第２のカバー６２によって構成されている。この明細書では、部品載置部５０のうち第１のカバー６１によって覆われる領域を第１の領域Ｓ１と称し、第２のカバー６２によって覆われる領域を第２の領域Ｓ２と称している。すなわちこのカバー部材６０は、第１の領域Ｓ１を覆うスライド式の第１のカバー６１と、第２の領域Ｓ２を覆う嵌込み式の第２のカバー６２を含んでいる。
【００１９】
第１の領域Ｓ１の下方に、前記バッテリー収納部２３が形成されている。バッテリー２２は筐体１０の後面に形成された開口からバッテリー収納部２３に挿入され、その上面側が第１のカバー６１によって覆われるようになっている。第２の領域Ｓ２に、バッテリー以外の比較的小形の電子部品（例えば図２に示すスピーカ２５等）を収容する空間部２７が形成されている。
【００２０】
第１のカバー６１と第２のカバー６２は合成樹脂製である。第１のカバー６１は、主部６５と放音部６６とを含んでいる。主部６５は、本体ユニット２の幅方向に沿う細長い形状をなし、バッテリー収納部２３を覆うことのできる長さを有している。放音部６６は、主部６５の一端側（第２のカバー６２とは反対側）に形成されている。
【００２１】
前記放音部６６は、第２のカバー６２と左右対称の位置に形成され、しかも第２のカバー６２と左右対称形をなしている。この放音部６６によって、一方のスピーカ２４が覆われている。主部６５と放音部６６との境に、両者を区画する溝６７が形成されている。またこの第１のカバー６１は、一対のキーボード支持部４１のうちの一方を覆う部分６８を有している。
【００２２】
第２のカバー６２は第１のカバー６１よりも小さく、かつ、第１のカバー６１の放音部６６と対応した形状に成形されている。すなわちこの第２のカバー６２は、他方のスピーカ２５を覆う放音部を構成している。またこの第２のカバー６２は、一対のキーボード支持部４１のうちの他方を覆う部分６９を有している。
【００２３】
第１のカバー６１の裏面にスライド式の複数の係止部７０が形成されている。これらの係止部７０は、例えば第１のカバー６１の前部と後部にそれぞれ３箇所ずつ設けられている。図２に示すように上ケース１２の底壁７１に複数の受け入れ部７２が形成されている。これらの受け入れ部７２は、前記係止部７０と対応する位置に形成され、第１のカバー６１を水平方向、すなわち筐体１０の幅方向にスライドさせたときに、係止部７０に係合する形状となっている。
【００２４】
第２のカバー６２の裏面に、引っ掛け式の複数の係止部８０（図３に示す）が形成されている。この係止部８０の先端に、抜け止め部８１が形成されている。これら係止部８０は、例えば第２のカバー６２の前部に２箇所、後部に１箇所設けられている。
【００２５】
図２に示すように上ケース１２に受け入れ孔８５が形成されている。受け入れ孔８５は、前記係止部８０と対応する位置に形成されている。受け入れ孔８５の内部に、前記係止部８０を引っ掛かることのできる受け部８６が形成されている。これらの受け部８６は、第２のカバー６２を前記第２の領域Ｓ２の上方から嵌込んだときに、係止部８０の抜け止め部８１が引っ掛かることのできる形状である。
【００２６】
表示ユニット３は、偏平な箱状のケース１００と、ケース１００に設けられた液晶表示パネル１０１と、ケース１００の内部に収容されたバックライト（図示せず）などを備えている。この表示ユニット３は、本体ユニット２の後端側に設けたヒンジ部１０２によって、本体ユニット２に対し上下方向に開閉可能に取付けられている。
【００２７】
すなわちこの表示ユニット３は、本体ユニット２に対して、閉じ位置と開き位置との間で回動可能である。表示ユニット３を閉じると、液晶表示パネル１０１の画像表示面が下を向いた姿勢で本体ユニット２の上に重なり、本体ユニット２の上面が表示ユニット３によって上方から覆い隠される。
【００２８】
以下に、本実施形態のポータブルコンピュータ１のカバー部材６０の作用について説明する。  
第１のカバー６１を筐体１０に取付けるには、図４に矢印Ａで示すように、第１のカバー６１を筐体１０の部品載置部５０の第１の領域Ｓ１に載置する。このとき第１のカバー６１の一端６１ａと筐体１０の壁部５１との間に、第１のカバー６１のスライドストロークに相当する隙間Ｓ３が生じる。
【００２９】
この状態で、第１のカバー６１を前記隙間Ｓ３に向かって水平方向（図４に矢印Ｂで示す方向）にスライドさせる。そして図５に示すように第１のカバー６１の一端６１ａを壁部５１に当接させる。こうすることにより、前記隙間Ｓ３（図４に示す）が無くなる。このスライド動作によって、第１のカバー６１の係止部７０が筐体１０の受け入れ部７２に係止するとともに、第１のカバー６１が第１の領域Ｓ１を覆った状態で筐体１０に固定される。
【００３０】
次に、図７に矢印Ｃで示すように、第２のカバー６２を筐体１０の上方から部品載置部５０の第２の領域Ｓ２に嵌込む。これにより、第２のカバー６２の引っ掛け式の係止部８０が筐体１０の受け入れ孔８５に挿入されるとともに、係止部８０が弾性変形しながら受け部８６を乗り越えたのち、係止部８０の抜け止め部８１が受け部８６に引っ掛かる。これにより、第２のカバー６２が第２の領域Ｓ２を覆った状態で筐体１０に固定される。こうしてカバー部材６０が筐体１０の壁部５１，５２間に配置される。
【００３１】
このように構成された第１のカバー６１と第２のカバー６２とからなるカバー部材６０によれば、筐体１０の部品載置部５０に取付けた状態において、筐体１０の側面にカバー部材６０との合わせ目が形成されないため、外観が良く、筐体１０のデザイン的な自由度も大きくなる。また、第１のカバー６１の端部に、放音部としての第２のカバー６２と同じ形状の放音部６６が形成され、この放音部６６が溝６７によって主部６５と区画されているため、左右対称形のバランスのとれたデザインのカバー部材６０とすることができる。
【００３２】
図６に示すように第１のカバー６１はバッテリー収納部２３を覆っている。バッテリー収納部２３は、バッテリー２２の大きさの関係から、上ケース１２の底壁７１が第１のカバー６１にかなり接近する。このため第１のカバー６１から上ケース１２の底壁７１までの距離がかなり短くなる。しかし第１のカバー６１に設けられている係止部７０は、水平方向にスライドさせるものであるから、下方への突出量を比較的小さくすることができる。このため第１のカバー６１から上ケース１２の底壁７１までの距離が短くても、係止部７０と受け入れ部７２を設けることができる。
【００３３】
これに対し第２のカバー６２は、バッテリー以外の小形の電子部品等が収納される空間部２７を覆うものであり、第２のカバー６２から上ケース１２の底壁７１までの距離をバッテリー収納部２３よりも大きくとることができる。このため、下方への突出量が比較的大きい引っ掛け式の係止部８０を採用することができる。
【００３４】
前記実施形態では、第２のカバー６２を筐体１０に固定する手段として、引っ掛け式の係止部７０を採用したが、このような係止部７０を用いる代わりに、筐体１０の下面側からねじ部材を筐体の孔に挿入し、このねじ部材によって第２のカバー６２を筐体１０に固定してもよい。また第１のカバー６１の端部、例えば放音部６６に相当する個所を、第１のカバー６１とは別体の嵌込み式の第３のカバーによって構成し、この第３のカバーを第２のカバー６２と同様の係止部７０によって筐体１０に固定するようにしてもよい。
【００３５】
本実施の形態においては、部品載置部に取り付けられたスピーカを覆うカバー部材について説明したが、スピーカの代りに、ＬＥＤ基板、電源スイッチ、その他スイッチ基板等の部品を載置するようにしても良く、その場合は例えばＬＥＤからの光を透過させるレンズ、スイッチを露出する開口部等をカバー部材に設けることもできる。
【００３６】
なお、本発明に係る電子機器は、ポータブルコンピュータに限らず、要するに、本体ユニットを備えた電子機器であって、本体ユニットの上部の開口を塞ぐカバー部材を有するものであれば、同様に適用することができる。
【図面の簡単な説明】
【００３７】
【図１】本発明の実施の形態に係るポータブルコンピュータの斜視図。
【図２】図１に示されたポータブルコンピュータの本体ユニットを、キーボードとカバー部材を取外した状態で示す平面図。
【図３】図１に示されたポータブルコンピュータのカバー部材の斜視図。
【図４】図１に示されたポータブルコンピュータの本体ユニットに第１のカバーを載置した状態を示す斜視図。
【図５】図４に示された第１のカバーをスライドさせた状態を示す斜視図。
【図６】図４中のＦ６−Ｆ６線に沿う部位の断面図。
【図７】図１に示されたポータブルコンピュータの本体ユニットに第２のカバーを取付けた状態を示す斜視図。
【符号の説明】
【００３８】
１…ポータブルコンピュータ（電子機器）、２…本体ユニット、１０…筐体、３０…キーボード、４９…キーボード載置部、５０…部品載置部、６０…カバー部材、６１…第１のカバー、６２…第２のカバー、７０…スライド式の係止部、７２…受け入れ部、８０…引っ掛け式の係止部、８６…受け部、Ｓ１…第１の領域、Ｓ２…第２の領域。
【図１】
2006100671.tif 000003
【図２】
2006100671.tif 000004
【図３】
2006100671.tif 000005
【図４】
2006100671.tif 000006
【図５】
2006100671.tif 000007
【図６】
2006100671.tif 000008
【図７】
2006100671.tif 000009